(57)【特許請求の範囲】
【請求項１】
複数のコンポーネントキャリアを用いて通信する基地局であって、
移動局から受信環境の測定結果を受信する測定結果受信部と、
受信した測定結果に基づいて、移動局に割り当てられた主セルまたは副セルに変更が発生するか否かを判断する判断部と、
変更が発生する主セルまたは副セルに対応するコンポーネントキャリアの移動局から得た受信環境の測定結果を含む情報を初期化する初期化部と、
を有し、
移動局から受信する副セルのコンポーネントキャリアの測定結果において、その測定結果の算出に主セルのコンポーネントキャリアとの差分が用いられる場合、
前記初期化部は、主セルの変更に伴って、主セルに対応するコンポーネントキャリアの測定結果を含む情報を初期化すると共に、関連する副セルに対応するコンポーネントキャリアの測定結果を含む情報をも初期化する基地局。
【請求項２】
前記判断部が、受信した測定結果に基づいて、移動局に割り当てられた少なくとも１つの副セルのみに変更が発生すると判断した場合、
前記初期化部は、変更が発生する少なくとも１つの副セルに対応するコンポーネントキャリアの測定結果を含む情報を初期化する、請求項１に記載の基地局。
【請求項３】
前記判断部は、基地局間ハンドオーバが発生するか否かを更に判断し、
前記判断部が、基地局間ハンドオーバが発生すると判断した場合、
前記初期化部は、移動局に割り当てられた全てのコンポーネントキャリアの測定結果を含む情報を初期化する、請求項１又は２に記載の基地局。
【請求項４】
主セルまたは副セルの変更を移動局に通知する通知部を更に有する、請求項１乃至３のうちいずれか１項に記載の基地局。
【請求項５】
複数のコンポーネントキャリアを用いて通信する移動局であって、
主セルまたは副セルの変更情報を受信する変更情報受信部と、
変更が発生する主セルまたは副セルに対応するコンポーネントキャリアの受信環境の測定結果を含む情報を初期化する初期化部と、
を有し、
副セルのコンポーネントキャリアの測定結果の算出に主セルのコンポーネントキャリアとの差分が用いられる場合、
前記初期化部は、主セルの変更に伴って、主セルのコンポーネントキャリアの測定結果を含む情報を初期化すると共に、関連する副セルのコンポーネントキャリアの測定結果を含む情報をも初期化する移動局。
【請求項６】
前記変更情報受信部が、少なくとも１つの副セルのみに変更が発生することを示す変更情報を受信した場合、
前記初期化部は、変更が発生する少なくとも１つの副セルに対応するコンポーネントキャリアの測定結果を含む情報を初期化する、請求項５に記載の移動局。
【請求項７】
前記変更情報受信部が、基地局間ハンドオーバが発生することを示す変更情報を受信した場合、
前記初期化部は、全てのコンポーネントキャリアの測定結果を含む情報を初期化する、請求項５又は６に記載の移動局。
【請求項８】
コンポーネントキャリア毎に、受信環境の測定及び測定結果の送信に関するパラメータを受信する受信部と、
受信したパラメータに従って、コンポーネントキャリア毎に受信環境を測定する測定部と、
受信したパラメータに従って、測定結果を送信する送信部と、
を更に有する、請求項５乃至７のうちいずれか１項に記載の移動局。
【請求項９】
複数のコンポーネントキャリアを用いて通信する基地局における測定結果情報制御方法であって、
移動局から受信環境の測定結果を受信するステップと、
受信した測定結果に基づいて、移動局に割り当てられた主セルまたは副セルに変更が発生するか否かを判断するステップと、
変更が発生する主セルまたは副セルに対応するコンポーネントキャリアの移動局から得た受信環境の測定結果を含む情報を初期化するステップと、
を有し、
移動局から受信する副セルのコンポーネントキャリアの測定結果において、その測定結果の算出に主セルのコンポーネントキャリアとの差分が用いられる場合、
前記初期化するステップは、主セルの変更に伴って、主セルに対応するコンポーネントキャリアの測定結果を含む情報を初期化すると共に、関連する副セルに対応するコンポーネントキャリアの測定結果を含む情報をも初期化する測定結果情報制御方法。
【請求項１０】
複数のコンポーネントキャリアを用いて通信する移動局における測定結果情報制御方法であって、
主セルまたは副セルの変更情報を受信するステップと、
変更が発生する主セルまたは副セルに対応するコンポーネントキャリアの受信環境の測定結果を含む情報を初期化するステップと、
を有し、
副セルのコンポーネントキャリアの測定結果の算出に主セルのコンポーネントキャリアとの差分が用いられる場合、
前記初期化するステップは、主セルの変更に伴って、主セルのコンポーネントキャリアの測定結果を含む情報を初期化すると共に、関連する副セルのコンポーネントキャリアの測定結果を含む情報をも初期化する測定結果情報制御方法。
【発明の詳細な説明】
【技術分野】
【０００１】
本発明は、基地局、移動局、測定結果情報制御方法に関する。
【背景技術】
【０００２】
現在、３ＧＰＰ（3rd Generation Partnership Project）において、ＬＴＥ（Long Term Evolution）方式等の無線システムに関する標準化が進められている。
【０００３】
ＬＴＥ方式等の無線システムでは、移動局の移動に伴い、接続する基地局又はセクタを切り換えるハンドオーバが実行される。ハンドオーバでは、接続先のバンド又は接続先のセクタが指定され、移動局は、指定されたバンド又はセクタで通信を継続する。
【０００４】
ハンドオーバ時には、基地局及び移動局内に保持されている測定結果を含む情報が初期化される。測定結果を含む情報は、利用する周波数情報等を示すMeasurement Objectと測定及び報告方法等を示すReporting configurationとを括り付けて管理するMeasID（Measurement identity）に関連付けて管理されており、ハンドオーバ時に、ハンドオーバ元の基地局は、ハンドオーバ先の基地局にMeasIDのうち必要な情報を転送し、ハンドオーバ元の基地局に保持されているMeasIDに含まれる変数であるVarMeasReportを削除する。移動局は、ハンドオーバ時に、移動局内に保持されているMeasIDを削除する（非特許文献１参照）。
【先行技術文献】
【非特許文献】
【０００５】
【非特許文献１】3GPP TS 36.331 V9.2.0 (2010-03), "5.5 Measurement"
【発明の概要】
【発明が解決しようとする課題】
【０００６】
ＬＴＥ方式の後継の通信方式として、ＬＴＥ−Ａ（LTE-Advanced）方式が、３ＧＰＰで検討されている。ＬＴＥ−Ａ方式では、キャリアアグリゲーション（Carrier aggregation）が適用される。キャリアアグリゲーションが適用される場合、移動局は、同時に複数のキャリア信号を用いて下りリンクの信号を受信でき、また、同時に複数のキャリア信号を用いて上りリンクの信号を送信できる。また同一の基地局配下であれば、異なるセクタのキャリアも同様に利用可能である。キャリアアグリゲーションが適用される場合の各キャリアは、コンポーネントキャリア（ＣＣ：Component Carrier）と呼ばれる。
【０００７】
複数のコンポーネントキャリアは、メインのキャリアであるプライマリコンポーネントキャリア（ＰＣＣ：Primary Component Carrier）と、それ以外のセカンダリコンポーネントキャリア（ＳＣＣ：Secondary Component Carrier）とに分類される。プライマリコンポーネントキャリアとして割り当てられた基地局の該当セクタは，主セル或いはプライマリセル（Pcell：Primary Cell）と呼ばれ、セカンダリコンポーネントキャリアとして割り当てられた基地局の該当セクタは、副セル或いはセカンダリセル（Scell：Secondary Cell）と呼ばれる。
【０００８】
このように、複数のコンポーネントキャリアが用いられる場合、移動局の移動に伴い、移動局に割り当てられたPcellやScellに変更が発生する。移動局の移動によって、Pcellのみに変更が発生する場合や、Scellのみに変更が発生する場合や、双方に変更が発生する場合がある。
【０００９】
このようにPcellやScellに変更が発生する毎に、基地局及び移動局内に保持されている全ての測定結果を含む情報（MeasID）を初期化することになると、変更が発生していないコンポーネントキャリアに対する測定情報も初期化され、移動局での測定処理及び基地局での測定結果受信処理が増加する。
【００１０】
本発明は、複数のコンポーネントキャリアが用いられる場合、移動局での測定処理及び送信処理の低減、基地局での測定結果受信処理の低減を実現することを目的とする。
【課題を解決するための手段】
【００１１】
本発明の基地局は、
複数のコンポーネントキャリアを用いて通信する基地局であって、
移動局から受信環境の測定結果を受信する測定結果受信部と、
受信した測定結果に基づいて、移動局に割り当てられた主セルまたは副セルに変更が発生するか否かを判断する判断部と、
変更が発生する主セルまたは副セルに対応するコンポーネントキャリアの移動局から得た受信環境の測定結果を含む情報を初期化する初期化部と、
を有し、
移動局から受信する副セルのコンポーネントキャリアの測定結果において、その測定結果の算出に主セルのコンポーネントキャリアとの差分が用いられる場合、
前記初期化部は、主セルの変更に伴って、主セルに対応するコンポーネントキャリアの測定結果を含む情報を初期化すると共に、関連する副セルに対応するコンポーネントキャリアの測定結果を含む情報をも初期化することを特徴とする。
【００１２】
本発明の移動局は、
複数のコンポーネントキャリアを用いて通信する移動局であって、
主セルまたは副セルの変更情報を受信する変更情報受信部と、
変更が発生する主セルまたは副セルに対応するコンポーネントキャリアの受信環境の測定結果を含む情報を初期化する初期化部と、
を有し、
副セルのコンポーネントキャリアの測定結果の算出に主セルのコンポーネントキャリアとの差分が用いられる場合、
前記初期化部は、主セルの変更に伴って、主セルのコンポーネントキャリアの測定結果を含む情報を初期化すると共に、関連する副セルのコンポーネントキャリアの測定結果を含む情報をも初期化することを特徴とする。
【００１３】
本発明の測定結果情報制御方法は、
複数のコンポーネントキャリアを用いて通信する基地局における測定結果情報制御方法であって、
移動局から受信環境の測定結果を受信するステップと、
受信した測定結果に基づいて、移動局に割り当てられた主セルまたは副セルに変更が発生するか否かを判断するステップと、
変更が発生する主セルまたは副セルに対応するコンポーネントキャリアの移動局から得た受信環境の測定結果を含む情報を初期化するステップと、
を有し、
移動局から受信する副セルのコンポーネントキャリアの測定結果において、その測定結果の算出に主セルのコンポーネントキャリアとの差分が用いられる場合、
前記初期化するステップは、主セルの変更に伴って、主セルに対応するコンポーネントキャリアの測定結果を含む情報を初期化すると共に、関連する副セルに対応するコンポーネントキャリアの測定結果を含む情報をも初期化することを特徴とする。
【００１４】
本発明の測定結果情報制御方法は、
複数のコンポーネントキャリアを用いて通信する移動局における測定結果情報制御方法であって、
主セルまたは副セルの変更情報を受信するステップと、
変更が発生する主セルまたは副セルに対応するコンポーネントキャリアの受信環境の測定結果を含む情報を初期化するステップと、
を有し、
副セルのコンポーネントキャリアの測定結果の算出に主セルのコンポーネントキャリアとの差分が用いられる場合、
前記初期化するステップは、主セルの変更に伴って、主セルのコンポーネントキャリアの測定結果を含む情報を初期化すると共に、関連する副セルのコンポーネントキャリアの測定結果を含む情報をも初期化することを特徴とする。
【発明の効果】
【００１５】
本発明の実施例によれば、複数のコンポーネントキャリアが用いられる場合、移動局での測定処理及び送信処理の低減、基地局での測定結果受信処理の低減が可能になる。
【図面の簡単な説明】
【００１６】
【図１】移動局に割り当てられたPcellまたはScellに変更が発生することを示す図
【図２】本発明の実施例に係る基地局のブロック図
【図３】本発明の実施例に係る移動局のブロック図
【図４】本発明の実施例に係る基地局における測定結果制御方法のフローチャート
【図５】本発明の実施例に係る移動局における測定結果制御方法のフローチャート
【図６】本発明の実施例に係る移動局における測定結果送信方法のフローチャート
【図７】本方式で用いられるMeasIDの内容を示す図
【発明を実施するための形態】
【００１７】
本発明の実施例では、キャリアアグリゲーションにより、複数のコンポーネントキャリアが用いられる。移動局は、コンポーネントキャリアの受信環境を測定し、受信環境の測定結果（Measurement Report）を基地局に通知する。例えば、受信環境の測定結果を含む情報は、移動局内でMeasIDに関連付けて管理される。
【００１８】
基地局は、移動局から受信環境の測定結果（Measurement Report）を受信する。例えば、受信環境の測定結果を含む情報は、基地局内でMeasIDに関連付けて管理される。基地局は、受信した測定結果に基づいて、移動局に割り当てられたPcellまたはScellに変更が発生するか否かを判断する。例えば、移動局に割り当てられたPcell及び少なくとも１つのScellに変更が発生するか、移動局に割り当てられたPcellのみに変更が発生するか、移動局に割り当てられた少なくとも１つのScellのみに変更が発生するかを判断する。基地局は、変更が発生するPcellまたはScellに対応するコンポーネントキャリアの測定結果を含む情報（MeasID）を初期化する。そして、基地局は、PcellまたはScellの変更情報を移動局に通知する。
【００１９】
移動局は、基地局からPcellまたはScellの変更情報を受信し、変更が発生するPcellまたはScellに対応するコンポーネントキャリアの測定結果を含む情報（MeasID）を初期化する。
【００２０】
以下、本発明の実施例について、図面を参照して詳細に説明する。
【００２１】
図１は、移動局に割り当てられたPcellまたはScellに変更が発生することを示す図である。図１（Ａ）に、移動局が移動する様子を示す。それぞれ２つのコンポーネントキャリア（ＣＣ１、ＣＣ２）を用いる３つの基地局（ｅＮＢＡ、ｅＮＢＢ、ｅＮＢＣ）が存在する。これらのコンポーネントキャリアによりカバーされるセルを移動局が移動すると、移動局に割り当てられたPcellやScellに変更が発生する。
【００２２】
図１（Ｂ）に、移動局の移動に伴い、PcellまたはScellに変更が発生する様子を示す。位置Ｐ１では、移動局は、基地局ｅＮＢＡのコンポーネントキャリアＣＣ１のカバーするセルに存在する。このため、コンポーネントキャリアＣＣ１をプライマリコンポーネントキャリア（ＰＣＣ）としてプライマリセル（Pcell）に割り当てる。コンポーネントキャリアＣＣ２の受信環境は悪いため、移動局は、セカンダリコンポーネントキャリア（ＳＣＣ）をセカンダリセル（Scell）として割り当てない。移動局が位置Ｐ２に移動し、コンポーネントキャリアＣＣ２の受信環境が良くなると、コンポーネントキャリアＣＣ２をセカンダリコンポーネントキャリアとしてScellに追加する。
【００２３】
移動局が位置Ｐ３に移動する過程で、コンポーネントキャリアＣＣ２の受信環境がコンポーネントキャリアＣＣ１の受信環境より良くなると、プライマリコンポーネントキャリアとセカンダリコンポーネントキャリアを入れ替え、コンポーネントキャリアＣＣ２をPcellに割り当て、コンポーネントキャリアＣＣ１をScellに割り当てる。移動局が位置Ｐ３に移動し、コンポーネントキャリアＣＣ１のセクタ間を移動すると、セカンダリコンポーネントキャリアＣＣ１を入れ替えてScellに割り当てる。
【００２４】
移動局が位置Ｐ４に移動する過程で、コンポーネントキャリアＣＣ１の受信環境がコンポーネントキャリアＣＣ２の受信環境より良くなると、プライマリコンポーネントキャリアとセカンダリコンポーネントキャリアを入れ替え、コンポーネントキャリアＣＣ１をプライマリコンポーネントキャリアとしてPcellに割り当て、コンポーネントキャリアＣＣ２をセカンダリコンポーネントキャリアとしてScellに割り当てる。更に、移動局が位置Ｐ４に移動する過程で、コンポーネントキャリアＣＣ２の受信環境が悪くなると、コンポーネントキャリアＣＣ２をScellから削除する。
【００２５】
移動局が位置Ｐ４に移動すると、基地局ｅＮＢＢのコンポーネントキャリアの受信環境が良くなるため、移動局は、基地局ｅＮＢＡから基地局ｅＮＢＢにハンドオーバする。移動局は、基地局ｅＮＢＢのコンポーネントキャリアＣＣ１及びＣＣ２を用いることができ、コンポーネントキャリアＣＣ２の受信環境がコンポーネントキャリアＣＣ１の受信環境より良いため、コンポーネントキャリアＣＣ２をプライマリコンポーネントキャリアとしてPcellに割り当て、コンポーネントキャリアＣＣ１をセカンダリコンポーネントキャリアとしてScellに割り当てる。
【００２６】
移動局が位置Ｐ５に移動し、コンポーネントキャリアＣＣ２の受信環境が悪くなると、コンポーネントキャリアＣＣ１をプライマリコンポーネントキャリアとしPcellに割り当て、Scellは削除する。
【００２７】
移動局が位置Ｐ６に移動すると、基地局ｅＮＢＣのコンポーネントキャリアの受信環境が良くなるため、移動局は、基地局ｅＮＢＢから基地局ｅＮＢＣにハンドオーバする。移動局は、基地局ｅＮＢＣのコンポーネントキャリアＣＣ１を用いることができるため、コンポーネントキャリアＣＣ１をプライマリコンポーネントキャリアとしてPcellに割り当てる。
【００２８】
なお、コンポーネントキャリアの変更は、基地局が予め指定した測定及び報告方法や閾値等のパラメータに従って移動局が受信環境を測定し、測定結果を基地局に通知し、基地局がPcellおよびScellの変更を判断する。
【００２９】
このように、移動局の移動に伴い、PcellおよびScellに変更（追加・変更・削除）が発生する。具体的には、以下の場合が存在する。
（１）基地局間ハンドオーバにより、移動局に割り当てられたPcellまたはScellに変更が発生する場合（図１（Ｂ）における基地局間ＨＯ等）
（２）同一基地局内で移動局に割り当てられたPcell及び少なくとも１つのScellに変更が発生する場合（図１（Ｂ）におけるPcellとScellの入れ替え、Pcellの入れ替え等）
（３）同一基地局内で移動局に割り当てられたPcellのみに変更が発生する場合
（４）同一基地局内で移動局に割り当てられた少なくとも１つのScellのみに変更が発生する場合（図１（Ｂ）におけるScellの入れ替え、Scellの削除等）
このようなPcellまたはScellの変更毎に、基地局は、測定及び報告方法や閾値等のパラメータ（RRC Connection Reconfiguration）を移動局に通知する。
【００３０】
本発明の実施例では、PcellまたはScellに変更が発生する場合、基地局及び移動局内で管理されている測定結果を含む情報（MeasID）を全て初期化するのではなく、変更が発生するコンポーネントキャリアの測定結果を含む情報（MeasID）を初期化する。
【００３１】
より具体的には、基地局は、移動局から受信した測定結果（Measurement Report）の内容に応じて、初期化するMeasIDを選択し、対象となるMeasIDのみを初期化する。変更が発生していないコンポーネントキャリアのMeasIDの情報は削除されない。Scellの追加のみが発生する場合にも、MeasIDの情報は削除されない。そして、基地局は、PcellまたはScellの変更情報を移動局に通知する。
【００３２】
移動局においても、基地局から通知されたPcellまたはScellの変更情報に応じて、初期化するMeasIDを選択し、対象となるMeasIDのみを初期化する。変更が発生していないコンポーネントキャリアのMeasIDの情報は削除されない。Scellの追加のみが発生する場合にも、MeasIDの情報は削除されない。移動局は、RRC Connection Reconfigurationに従って、コンポーネントキャリア毎に受信環境を測定し、測定結果（Measurement Report）を基地局に送信する。なお、移動局は、Measurement Reportの送信時に、Pcell候補および複数のScell候補の測定結果をまとめて送信してもよい。
【００３３】
図１では、２つのコンポーネントキャリアのみが図示されているが、２つより多くのコンポーネントキャリアが用いられてもよい。更に、セカンダリコンポーネントキャリアの数は０又は１に限定されず、セカンダリコンポーネントキャリアの数は２以上でもよい。例えば、図１においてコンポーネントキャリアＣＣ３が更に用いられ、コンポーネントキャリアＣＣ２及びＣＣ３がScellとして移動局に割り当てられてもよい。なお、Pcellの変更とは、Pcellの入れ替え若しくはハンドオーバのことを意味し、Scellの変更とは、Scellの入れ替え若しくはハンドオーバ、追加又は削除のことを意味する。
【００３４】
＜基地局及び移動局の構成＞
次に、本発明の実施例に係る基地局について説明する。
【００３５】
図２は、本発明の実施例に係る基地局のブロック図である。基地局１０は、Measurement Report受信部１０１と、Measurement Report解析判断部１０３と、MeasID初期化部１０５と、MeasID記憶部１０７と、ハンドオーバ（ＨＯ）処理部１０９と、コンポーネントキャリア（ＣＣ）変更情報通知部１１１と、RRC Connection Reconfiguration情報通知部１１３とを有する。
【００３６】
Measurement Report受信部１０１は、移動局から受信環境の測定結果（Measurement Report）を受信する。Measurement Report受信部１０１は、Measurement Reportを受信すると、該当するコンポーネントキャリアの測定結果を含む情報をMeasIDに関連付けてMeasID記憶部１０７に保持する。
【００３７】
Measurement Report解析判断部１０３は、受信した測定結果（Measurement Report）に基づいて、移動局に割り当てられたPcellまたはScellに変更が発生するか否かを判断する。より具体的には、Measurement Report解析判断部１０３は、（１）基地局間ハンドオーバが発生するか否か、（２）同一基地局内で移動局に割り当てられたPcell及び少なくとも１つのScellに変更が発生するか否か、（３）同一基地局内で移動局に割り当てられたPcellのみに変更が発生するか否か、（４）同一基地局内で移動局に割り当てられた少なくとも１つのScellのみに変更が発生するか否かを判断する。
【００３８】
上記の通り、基地局では、MeasIDを用いて、移動局が利用可能なコンポーネントキャリアを管理している。Measurement Report解析判断部１０３は、MeasIDを利用して、Pcell及びScellを移動局に割り当てるための判断をすることができる。
【００３９】
MeasID初期化部１０５は、変更が発生するPcellまたはScellに対応するコンポーネントキャリアの測定結果を含む情報（MeasID）を初期化する。
【００４０】
Measurement Report解析判断部１０３が（１）基地局間ハンドオーバが発生すると判断した場合、基地局間ハンドオーバによりハンドオーバ先の基地局で全てのコンポーネントキャリアが新たに割り当てられるため、MeasID初期化部１０５は、移動局に割り当てられた全てのコンポーネントキャリアのMeasIDを初期化する。
【００４１】
Measurement Report解析判断部１０３が（２）同一基地局内で移動局に割り当てられたPcell及び少なくとも１つのScellに変更が発生すると判断した場合、MeasID初期化部１０５は、変更が発生するPcell及びScellに対応するコンポーネントキャリアのMeasIDを初期化する。例えば、Pcellの変更に伴い、関連してScellが変更する場合、MeasID初期化部１０５は、これらのコンポーネントキャリアのMeasIDを初期化する。移動局が複数のScellを用いており、そのうちの一部のScellに変更が発生する場合、変更が発生するScellに対応するコンポーネントキャリアのMeasIDのみが初期化され、変更が発生しないScellのMeasIDは初期化されない。なお、Scellの変更を判断する際に、Pcellとして割り当てられたコンポーネントキャリアとの差分（相対値）を利用することもできる。例えば、移動局での測定結果の算出において、Pcellのコンポーネントキャリアの受信品質（ＲＳＲＰ：Reference Signal Received PowerやＲＳＲＱ：Reference Signal Received Quality）に対する相対的なScell候補であるコンポーネントキャリアの受信品質を利用することができる。この場合、Pcellに割り当てたコンポーネントキャリアのMeasIDの初期化に伴い、Scell候補のコンポーネントキャリアのMeasIDが利用できなくなる。従って、MeasID初期化部１０５は、Pcellの変更に伴って、Pcellに対応するコンポーネントキャリアのMeasIDを初期化すると共に、関連するScell候補であるコンポーネントキャリアのMeasIDをも初期化する。なお、複数のScellが同時に変更されてもよい。
【００４２】
Measurement Report解析判断部１０３が（３）同一基地局内で移動局に割り当てられたPcellのみに変更が発生すると判断した場合、MeasID初期化部１０５は、変更が発生するPcellに対応するコンポーネントキャリアのMeasIDを初期化する。Scellには変更が発生しないため、ScellのコンポーネントキャリアのMeasIDは初期化されない。なお、Scellの変更を判断する際に、Pcellとして割り当てられたコンポーネントキャリアとの差分（相対値）を利用することもできる。例えば、移動局での測定結果の算出において、Pcellのコンポーネントキャリアの受信品質に対する相対的なScell候補であるコンポーネントキャリアの受信品質を利用することができる。この場合、Pcellに割り当てたコンポーネントキャリアのMeasIDの初期化に伴い、Scell候補のコンポーネントキャリアのMeasIDが利用できなくなる。従って、MeasID初期化部１０５は、Pcellの変更に伴って、Pcellに対応するコンポーネントキャリアのMeasIDを初期化すると共に、関連するScell候補であるコンポーネントキャリアのMeasIDをも初期化する。
【００４３】
Measurement Report解析判断部１０３が（４）同一基地局内で移動局に割り当てられた少なくとも１つのScellのみに変更が発生すると判断した場合、MeasID初期化部１０５は、変更が発生するScellに対応するコンポーネントキャリアのMeasIDを初期化する。Pcellには変更が発生しないため、Pcellに対応するコンポーネントキャリアのMeasIDは初期化されない。移動局が複数のScellを用いており、そのうちの一部のScellに変更が発生する場合、変更が発生するScellに対応するコンポーネントキャリアのMeasIDのみが初期化され、変更が発生しないScellのコンポーネントキャリアのMeasIDは初期化されない。
【００４４】
例えば、MeasIDに含まれる変数であるVarMeasReportには、測定結果を含む情報（CellTriggeredList、numberOfReportsSent等）が書き込まれている。PcellまたはScellが削除される場合または入れ替え若しくはハンドオーバが実行される場合、MeasID初期化部１０５は、VarMeasReportに書き込まれた情報をMeasID記憶部１０７から削除する。PcellまたはScellが削除されない場合またはPcellまたはScellの入れ替え若しくはハンドオーバが実行されない場合、MeasID初期化部１０５は、このような測定結果を含む情報をMeasID記憶部１０７から削除しない。なお、Scellの追加のみが発生する場合にも、MeasID初期化部１０５は、このような測定結果を含む情報をMeasID記憶部１０７から削除しない。
【００４５】
MeasID記憶部１０７は、測定結果を含む情報（MeasID）を記憶する。
【００４６】
ＨＯ処理部１０９は、受信した測定結果に基づいてハンドオーバを実行する。なお、ハンドオーバとは、基地局間ハンドオーバだけでなく、同一基地局内でPcellまたはScellを変更することも意味する。基地局間ハンドオーバの場合には、ＨＯ処理部１０９は、ハンドオーバ先の基地局にMeasID記憶部１０７に保持されている情報のうち必要な情報を転送してもよい。
【００４７】
ＣＣ変更情報通知部１１１は、PcellまたはScellの変更（コンポーネントキャリアの変更）を移動局に通知する。ＣＣ変更情報通知部１１１は、変更対象となるPcellまたはScellのみを通知してもよく、移動局に割り当てられたPcellまたはScellのリストを通知してもよい。また、ＣＣ変更情報通知部１１１は、基地局間ハンドオーバが発生することを通知してもよい。
【００４８】
RRC Connection Reconfiguration情報通知部１１３は、測定及び報告方法や閾値等のパラメータ（RRC Connection Reconfiguration）を移動局に通知する。RRC Connection Reconfigurationでは、受信環境の測定タイミングや測定結果の送信タイミング等が指定される。
【００４９】
次に、本発明の実施例に係る移動局について説明する。
【００５０】
図３は、本発明の実施例に係る移動局のブロック図である。移動局２０は、RRC Connection Reconfiguration情報受信・保持部２０１と、タイマー２０３と、受信環境測定部２０５と、MeasID情報保持部２０７と、Measurement Report生成部２０９と、Measurement Report送信部２１１と、コンポーネントキャリア（ＣＣ）変更情報受信部２１３と、MeasID情報初期化部２１５とを有する。
【００５１】
RRC Connection Reconfiguration情報受信・保持部２０１は、基地局から測定及び報告方法や閾値等のパラメータ（RRC Connection Reconfiguration）を受信する。RRC Connection Reconfigurationには、受信環境の測定タイミングや測定結果の送信タイミング等が指定される。
【００５２】
タイマー２０３は、受信環境の測定タイミングを受信環境測定部２０５に指示し、測定結果の送信タイミングをMeasurement Report送信部２１１に指示する。
【００５３】
受信環境測定部２０５は、基地局から受信したパラメータ（RRC Connection Reconfiguration）に従って、タイマー２０３で指示された測定タイミングにおいて、コンポーネントキャリア毎に受信環境を測定する。ここでは、受信環境という用語が用いられるが、受信品質又は無線品質等の用語が用いられてもよい。例えば、受信環境測定部２０５は、コンポーネントキャリア毎にリファレンス信号の受信品質（ＲＳＲＰ：Reference Signal Received Power又はＲＳＲＱ：Reference Signal Received Quality）を測定してもよい。受信環境測定部２０５は、コンポーネントキャリアの受信環境を測定すると、該当するコンポーネントキャリアの測定結果を含む情報をMeasIDに関連付けてMeasID情報保持部２０７に保持する。
【００５４】
MeasID情報保持部２０７は、測定結果を含む情報（MeasID）を保持する。
【００５５】
Measurement Report生成部２０９は、基地局から受信したパラメータ（RRC Connection Reconfiguration）に従って、受信環境の測定結果をMeasurement Reportの形式で生成する。Measurement Report生成部２０９は、受信環境の測定結果が所定の条件を満たす場合に、Measurement Reportを生成してもよく、一定の周期でMeasurement Reportを生成してもよい。更に、Measurement Report送信部２１１は、これらを組み合わせて、受信環境の測定結果が所定の条件を満たす限り、一定の周期でMeasurement Reportを生成してもよい。
【００５６】
Measurement Report送信部２１１は、基地局から受信したパラメータ（RRC Connection Reconfiguration）に従って、タイマー２０３で指示された送信タイミングにおいて、受信環境の測定結果（Measurement Report）を基地局に送信する。なお、Measurement Report送信部２１１は、受信環境の測定結果が所定の条件を満たす場合に、Measurement Reportを報告してもよく、一定の周期でMeasurement Reportを送信してもよい。更に、Measurement Report送信部２１１は、これらを組み合わせて、受信環境の測定結果が所定の条件を満たす限り、一定の周期でMeasurement Reportを送信してもよい。
【００５７】
また、Measurement Report送信部２１１は、複数のコンポーネントキャリアのMeasurement Reportをまとめて送信してもよい。例えば、（１）基地局間ハンドオーバが発生する場合、Measurement Report送信部２１１は、Pcell候補であるコンポーネントキャリアのMeasurement Reportだけでなく、Scell候補のコンポーネントキャリアの候補のMeasurement Reportも含めて送信してもよい。例えば、（２）同一基地局内でPcell及び少なくとも１つのScellに変更が発生する場合、Measurement Report送信部２１１は、Pcell候補であるコンポーネントキャリアのMeasurement Reportだけでなく、Scell候補であるコンポーネントキャリアのMeasurement Reportも含めて送信してもよい。例えば、（３）同一基地局内でPcellのみに変更が発生する場合であっても、Scellのコンポーネントキャリアの測定結果の算出にPcellのコンポーネントキャリアとの差分（相対値）が用いられる場合には、Measurement Report送信部２１１は、Pcellに対応するコンポーネントキャリアのMeasurement Reportだけでなく、Scell候補であるコンポーネントキャリアのMeasurement Reportも含めて送信してもよい。例えば、（４）同一基地局内で複数のScellのコンポーネントキャリアのみに変更が発生する場合、Measurement Report送信部２１１は、複数のScellのコンポーネントキャリア候補であるMeasurement Reportをまとめて送信してもよい。
【００５８】
ＣＣ変更情報受信部２１３は、基地局からPcellまたはScellの変更情報（コンポーネントキャリアの変更情報）を受信する。PcellまたはScellの変更情報は、変更対象となるPcellまたはScellのみの情報でもよく、移動局に割り当てられたPcellまたはScellのリストでもよい。また、PcellまたはScellの変更情報は、基地局間ハンドオーバが発生することを示してもよい。
【００５９】
MeasID情報初期化部２１５は、変更が発生するPcellまたはScellに対応するコンポーネントキャリアの測定結果を含む情報（MeasID）を初期化する。
【００６０】
コンポーネントキャリアの変更情報が（１）基地局間ハンドオーバが発生することを示す場合、基地局間ハンドオーバによりハンドオーバ先の基地局で全てのコンポーネントキャリアが新たに割り当てられるため、MeasID情報初期化部２１５は、全てのコンポーネントキャリアのMeasIDを初期化する。
【００６１】
コンポーネントキャリアの変更情報が（２）同一基地局内でPcellのコンポーネントキャリア及び少なくとも１つのScellに変更が発生することを示す場合、MeasID情報初期化部２１５は、変更が発生するPcell及びScellに対応するコンポーネントキャリアのMeasIDを初期化する。例えば、Pcellの変更に伴い、関連してScellが変更する場合、MeasID情報初期化部２１５は、これらのコンポーネントキャリアのMeasIDを初期化する。移動局が複数のScellを用いており、そのうちの一部のScellに変更が発生する場合、変更が発生するScellに対応するコンポーネントキャリアのMeasIDのみが初期化され、変更が発生しないScellのMeasIDは初期化されない。なお、Scellの変更を判断する際に、Pcellとして割り当てられたコンポーネントキャリアとの差分（相対値）を利用することもできる。例えば、移動局での測定結果の算出において、Pcellのコンポーネントキャリアの受信品質に対する相対的なScell候補であるコンポーネントキャリアの受信品質を利用することができる。この場合、Pcellに割り当てたコンポーネントキャリアのMeasIDの初期化に伴い、Scell候補のコンポーネントキャリアのMeasIDが利用できなくなる。従って、MeasID情報初期化部２１５は、Pcellの変更に伴って、Pcellに対応するコンポーネントキャリアのMeasIDを初期化すると共に、関連するScell候補であるコンポーネントキャリアのMeasIDをも初期化する。なお、複数のScellが同時に変更されてもよい。
【００６２】
コンポーネントキャリアの変更情報が（３）同一基地局内でPcellのみに変更が発生することを示す場合、MeasID情報初期化部２１５は、変更が発生するPcellに対応するコンポーネントキャリアのMeasIDを初期化する。Scellには変更が発生しないため、ScellのコンポーネントキャリアのMeasIDは初期化されない。なお、Scellの変更を判断する際に、Pcellとして割り当てられたコンポーネントキャリアとの差分（相対値）を利用することもできる。例えば、移動局での測定結果の算出において、Pcellのコンポーネントキャリアの受信品質に対する相対的なScell候補であるコンポーネントキャリアの受信品質を利用することができる。この場合、Pcellに割り当てたコンポーネントキャリアのMeasIDの初期化に伴い、Scell候補のコンポーネントキャリアのMeasIDが利用できなくなる。従って、MeasID初期化部１０５は、Pcellの変更に伴って、Pcellに対応するコンポーネントキャリアのMeasIDを初期化すると共に、関連するScell候補であるコンポーネントキャリアのMeasIDをも初期化する。
【００６３】
コンポーネントキャリアの変更情報が（４）同一基地局内で少なくとも１つのScellのみに変更が発生することを示す場合、MeasID情報初期化部２１５は、変更が発生するScellに対応するコンポーネントキャリアのMeasIDを初期化する。Pcellには変更が発生しないため、Pcellに対応するコンポーネントキャリアのMeasIDは初期化されない。移動局が複数のScellを用いており、そのうちの一部のScellに変更が発生する場合、変更が発生するScellに対応するコンポーネントキャリアのMeasIDのみが初期化され、変更が発生しないScellのコンポーネントキャリアのMeasIDは初期化されない。
【００６４】
例えば、MeasIDに含まれる変数であるVarMeasReportには、測定結果を含む情報（CellTriggeredList、numberOfReportsSent等）が書き込まれている。PcellまたはScellが削除される場合または入れ替え若しくはハンドオーバが実行される場合、MeasID情報初期化部２１５は、VarMeasReportに書き込まれた情報をMeasID情報保持部２０７から削除する。PcellまたはScellが削除されない場合またはPcellまたはScellの入れ替え若しくはハンドオーバが実行されない場合、MeasID情報初期化部２１５は、このような測定結果を含む情報をMeasID情報保持部２０７から削除しない。なお、Scellの追加のみが発生する場合にも、MeasID情報初期化部２１５は、このような測定結果を含む情報をMeasID情報保持部２０７から削除しない。
【００６５】
＜基地局及び移動局の動作＞
図４は、本発明の実施例に係る基地局における測定情報制御方法のフローチャートである。
【００６６】
Measurement Report受信部１０１が移動局からMeasurement Reportを受信すると、Measurement Report解析判断部１０３は、Measurement Reportに基づいて、移動局に割り当てられたPcell又はScellに変更が発生するか否かを判断する（Ｓ１０１）。
【００６７】
より具体的には、Measurement Report解析判断部１０３は、（１）基地局間ハンドオーバが発生するか否か、（２）同一基地局内で移動局に割り当てられたPcell及び少なくとも１つのScellに変更が発生するか否か、（３）同一基地局内で移動局に割り当てられたPcellのみに変更が発生するか否か、（４）同一基地局内で移動局に割り当てられた少なくとも１つのScellのみに変更が発生するか否かを判断する。
【００６８】
PcellまたはScellに変更が発生する場合、MeasID初期化部１０５は、変更が発生するPcellまたはScellに対応するコンポーネントキャリアのMeasIDを選択し、ＨＯ処理部１０９は、PcellまたはScellを変更する（Ｓ１０３）。
【００６９】
より具体的には、Measurement Report解析判断部１０３が（１）基地局間ハンドオーバが発生すると判断した場合、MeasID初期化部１０５は、移動局に割り当てられた全てのコンポーネントキャリアのMeasIDを選択する。ＨＯ処理部１０９は、基地局間ハンドオーバを実行する。
【００７０】
Measurement Report解析判断部１０３が（２）同一基地局内で移動局に割り当てられたPcell及び少なくとも１つのScellに変更が発生すると判断した場合、MeasID初期化部１０５は、変更が発生するPcell及び少なくとも１つのScellのMeasIDを選択する。ＨＯ処理部１０９は、Pcell及び少なくとも１つのScellを変更する。
【００７１】
Measurement Report解析判断部１０３が（３）同一基地局内で移動局に割り当てられたPcellのみに変更が発生すると判断した場合、MeasID初期化部１０５は、変更が発生するPcellのコンポーネントキャリアのMeasIDを選択する。ＨＯ処理部１０９は、Pcellを変更する。
【００７２】
Measurement Report解析判断部１０３が（４）同一基地局内で移動局に割り当てられた少なくとも１つのScellのみに変更が発生すると判断した場合、MeasID初期化部１０５は、変更が発生する少なくとも１つのScellのコンポーネントキャリアのMeasIDを選択する。ＨＯ処理部１０９は、少なくとも１つのScellを変更する。
【００７３】
MeasID初期化部１０５は、選択されたMeasIDを初期化し、ＣＣ変更情報通知部１１１は、PcellまたはScellの変更を移動局に通知する（Ｓ１０５）。より具体的には、MeasID初期化部１０５は、削除されるコンポーネントキャリアのMeasIDをMeasID記憶部１０７から削除する。
【００７４】
図５は、本発明の実施例に係る移動局における測定情報制御方法のフローチャートである。
【００７５】
ＣＣ変更情報受信部２１３が基地局からコンポーネントキャリアの変更情報を受信すると、MeasID情報初期化部２１５は、PcellまたはScellの変更情報に応じて、変更が発生するPcellまたはScellに対応するコンポーネントキャリアのMeasIDを選択する（Ｓ２０１）。
【００７６】
より具体的には、コンポーネントキャリアの変更情報が（１）基地局間ハンドオーバが発生することを示す場合、MeasID情報初期化部２１５は、全てのコンポーネントキャリアのMeasIDを選択する（移動局に割り当てられた全てのコンポーネントキャリアが削除されるため）。
【００７７】
コンポーネントキャリアの変更情報が（２）同一基地局内でPcell及び少なくとも１つScellに変更が発生することを示す場合、MeasID情報初期化部２１５は、変更が発生するPcell及び少なくとも１つのScellに対応するコンポーネントキャリアのMeasIDを選択する（移動局に割り当てられたPcell及び少なくとも１つのScellのコンポーネントキャリアが削除されるため）。
【００７８】
コンポーネントキャリアの変更情報が（３）同一基地局内でPcellのみに変更が発生することを示す場合、MeasID情報初期化部２１５は、変更が発生するPcellに対応するコンポーネントキャリアのMeasIDを選択する（移動局に割り当てられたPcellのコンポーネントキャリアが削除されるため）。
【００７９】
コンポーネントキャリアの変更情報が（４）同一基地局内で少なくとも１つのScellのみに変更が発生することを示す場合、MeasID情報初期化部２１５は、変更が発生する少なくとも１つのScellに対応するコンポーネントキャリアのMeasIDを初期化する（移動局に割り当てられた少なくとも１つのScellのコンポーネントキャリアが削除されるため）。
【００８０】
MeasID情報初期化部２１５は、選択されたMeasIDを初期化し、受信環境測定部２０５は、コンポーネントキャリアの測定を開始する（Ｓ２０３）。より具体的には、MeasID情報初期化部２１５は、削除されるコンポーネントキャリアのMeasIDをMeasID情報保持部２０７から削除し、追加されるコンポーネントキャリア（新たに利用するコンポーネントキャリア）の受信環境を測定する。
【００８１】
図６は、本発明の実施例に係る移動局における測定結果送信方法のフローチャートである。
【００８２】
図６のフローチャートの開始前に、受信環境測定部２０５が受信環境（ＲＳＲＰ又はＲＳＲＱ等）を測定し、MeasIDをMeasID情報保持部２０７に保持しているものとする。所定の報告タイミングで、Measurement Report生成部２０９は、受信環境測定部２０５で測定された測定結果を確認する（Ｓ３０１）。
【００８３】
Measurement Report生成部２０９は、受信環境の測定結果が所定の条件を満たすか否かを判断する（Ｓ３０３）。例えば、Measurement Report生成部２０９は、測定結果から、ヒステリシス等を考慮しても受信環境の良いコンポーネントキャリアがあるか否かを判断する。
【００８４】
受信環境の良いコンポーネントキャリアがある場合、Measurement Report生成部２０９は、そのコンポーネントキャリアの情報をMeasurement Reportの形式で生成し、Measurement Report送信部２１１はMeasurement Reportを基地局に送信する（Ｓ３０５）。Measurement Report送信部２１１は、複数のPcell候補および複数のScell候補のMeasurement Reportをまとめて送信してもよい。図６のフローチャートでは、Measurement Report生成部２０９及びMeasurement Report送信部２１１は、受信環境の測定結果が所定の条件を満たす場合に、Measurement Reportを生成及び送信しているが、Measurement Report生成部２０９及びMeasurement Report送信部２１１は、一定の周期でMeasurement Reportを生成及び送信してもよい。また、Measurement Report生成部２０９及びMeasurement Report送信部２１１は、受信環境の測定結果が所定の条件を満たす限り、一定の周期でMeasurement Reportを生成及び送信してもよい。
【００８５】
次に、図７を参照して本方式で用いられるMeasIDについて詳細に説明する。図７に示すMeasIDは、例えばＬＴＥ方式及びＬＴＥ−Ａ方式で用いられる。上記の通り、移動局による測定結果を含む情報は、移動局及び基地局内でMeasIDに関連付けて管理される。MeasIDは、利用する周波数情報等を示すMeasurement Objectと測定及び報告方法を示すReporting configurationとを１対１の関係で結びつける。Measurement Objectには、オフセット値やブラックリストセル等が設定されている。Reporting configurationには、受信環境の測定方法及び測定結果の報告方法が設定されている。複数のコンポーネントキャリアを用いる移動局には、複数のMeasIDが保持される。移動局は、MeasID単位でMeasurement Reportを基地局に送信する。基地局は、Measurement Reportを受信すると、そのMeasurement Reportに対応するMeasIDを更新する。このようにして、MeasIDは、移動局及び基地局内で管理されてもよい。
【００８６】
＜本発明の実施例の効果＞
本発明の実施例では、PcellまたはScellに変更が発生する場合、基地局及び移動局内に保持されている測定結果を含む情報（MeasID）を全て初期化するのではなく、変更が発生するPcellまたはScellに対応するコンポーネントキャリアの測定結果を含む情報を初期化する。従って、変更が発生しないPcellまたはScellに対応するコンポーネントキャリアの測定結果を含む情報は削除されず、移動局での測定処理及び送信処理の低減、基地局での測定結果受信処理の低減が可能になる。
【００８７】
PcellまたはScellに変更が発生する場合に基地局及び移動局内に保持されている測定結果を含む情報（MeasID）を全て初期化する方法では、移動局は、全てのコンポーネントキャリアの受信環境を測定し、基地局に通知する必要がある。その結果、基地局から移動局への制御頻度の増加、移動局の処理増加、制御信号の増加等によるオーバーヘッドの増加が懸念される。
【００８８】
一方、本発明の実施例によれば、変化が発生しないコンポーネントキャリアの測定結果を含む情報は削除されないため、不要なMeasurement Reportの再処理や再通知等の不要な処理を低減できる。例えば、Pcellの変更を伴わず、Scellの変更（追加・削除・セカンダリコンポーネントキャリアの入れ替え若しくはハンドオーバ等）が発生する場合には、プライマリコンポーネントキャリアのMeasIDは初期化されない。このため、Pcellのコンポーネントキャリアに関する測定結果は、以前の情報が利用でき、不要な処理を低減できる。
【００８９】
説明の便宜上、本発明の実施例に係る基地局及び移動局は機能的なブロック図を用いて説明しているが、本発明は、ハードウェア、ソフトウェア又はそれらの組み合わせで実現されてもよい。また、２以上の実施例及び変形例が必要に応じて組み合わせて使用されてもよい。
【００９０】
以上、本発明の実施例について説明したが、本発明は、上記の実施例に限定されることなく、特許請求の範囲内において、種々の変更・応用が可能である。
【符号の説明】
【００９１】
１０    基地局
１０１  Measurement Report受信部
１０３  Measurement Report解析判断部
１０５  MeasID初期化部
１０７  MeasID記憶部
１０９  ＨＯ処理部
１１１  ＣＣ変更情報通知部
１１３  RRC Connection Reconfiguration情報通知部
２０    移動局
２０１  RRC Connection Reconfiguration情報受信・保持部
２０３  タイマー
２０５  受信環境測定部
２０７  MeasID情報保持部
２０９  Measurement Report生成部
２１１  Measurement Report送信部
２１３  ＣＣ情報受信部
２１５  MeasID情報初期化部
【図１】
0005243492.tif 000002
【図２】
0005243492.tif 000003
【図３】
0005243492.tif 000004
【図４】
0005243492.tif 000005
【図５】
0005243492.tif 000006
【図６】
0005243492.tif 000007
【図７】
0005243492.tif 000008